(57)【要約】【課題】移動式バッテリ充電パックを提供すること。【解決手段】ケーシングの前及び後縁部に配置された前壁及び後壁と、２つの遠端部近傍の内側に対称的に形成された第１の位置決め用溝及び第２の位置決め用溝と、第１の位置決め用溝内及び第２の位置決め用溝内にそれぞれ装着された正電極及び負電極を備えるケーシングと、ケーシング内に装着されかつ正電極と負電極の間で電気的に接続されたバッテリ・セットと、ケーシングを閉じるようになされたカバーを備え、ケーシングは、前壁と正及び負電極の間にチャンバを画定し、そのチャンバが、電気的に正電極及び負電極にそれぞれ接続され、バッテリ・セットからそれに接続された外部の電子装置へバッテリ電源を出力し、外部電力供給手段をバッテリ・セットへ選択的に入力するための電力入力／出力端子を備え、その電力入力／出力端子がＵＳＢコネクタを含む。【選択図】図１
0003118896.tif 000002
【実用新案登録請求の範囲】
【請求項１】
ケーシングであって、その前側及び後側に配置された前壁及び後壁、２つの遠端部近傍の内側に対称的に形成された少なくとも１つの第１の位置決め用溝及び少なくとも１つの第２の位置決め用溝、前記少なくとも１つの第１の位置決め用溝内及び前記少なくとも１つの第２の位置決め用溝内にそれぞれ装着された少なくとも１つの正電極及び少なくとも１つの負電極を備えるケーシングと、
前記ケーシング内に装着されかつ前記少なくとも１つの正電極と前記少なくとも１つの負電極の間で電気的に接続されたバッテリ・セットと、
前記ケーシングを閉じるようになされたカバーを備え、
前記ケーシングが、前記後壁と前記正及び負電極の間にチャンバを画定し、前記チャンバが、それぞれ電気的に前記少なくとも１つの正電極及び前記少なくとも１つの負電極に接続され、前記バッテリ・セットから接続された外部の電子装置へバッテリ電源を出力し、外部電力供給手段を前記バッテリ・セットへ選択的に入力するための少なくとも１つの電力入力／出力端子を備え、前記少なくとも１つの電力入力／出力端子がＵＳＢコネクタを含むことを特徴とする移動式バッテリ充電パック。
【請求項２】
前記ケーシングが、前記ケーシングの２つの対向する側壁にそれぞれ対称的に設けられた２つのピボット・ピンを備え、前記カバーが２つのアーチ型サイド・パネル及び前記アーチ型サイド・パネル内にそれぞれ形成され前記ピボット・ピンにそれぞれ旋回的に結合された２つのピボット・ホールを備えることを特徴とする請求項１に記載の移動式バッテリ充電パック。
【請求項３】
前記少なくとも１つの電力入力／出力端子と、前記少なくとも１つの正電極と前記少なくとも１つの負電極とに電気的に接続され、前記バッテリ・セットと前記少なくとも１つの電力入力／出力端子との間の電力接続を制御するようになされた電力スイッチをさらに備えることを特徴とする請求項１に記載の移動式バッテリ充電パック。
【請求項４】
前記少なくとも１つの電力入力／出力端子が、電力を入力／出力するために前記チャンバの外側に露出している電気ソケットをさらに備えることを特徴とする請求項１に記載の移動式バッテリ充電パック。
【請求項５】
前記少なくとも１つの電力入力／出力端子が、電力を入力／出力するために前記チャンバの外側に露出している電気プラグをさらに備えることを特徴とする請求項１に記載の移動式バッテリ充電パック。
【請求項６】
前記電気プラグが、移動式電子デバイスの電力入力端子に適合することを特徴とする請求項５に記載の移動式バッテリ充電パック。
【請求項７】
前記少なくとも１つの電力入力／出力端子が、ＤＣ３．７Ｖ電力ジャック及びＤＣ５．０Ｖ電力ジャックをさらに備えることを特徴とする請求項１に記載の移動式バッテリ充電パック。
【請求項８】
前記電力制御スイッチと前記少なくとも１つの電力入力／出力端子の間で電気的に接続されている回路基板をさらに備えることを特徴とする請求項１に記載の移動式バッテリ充電パック。
【請求項９】
前記回路基板が、前記バッテリ・セットを充電するために、前記少なくとも１つの電力入力／出力端子を通して外部電力供給手段から充電供給電力を得るようになされた充電回路を備えることを特徴とする請求項８に記載の移動式バッテリ充電パック。
【請求項１０】
前記電力制御スイッチが３段階スイッチであり、第１の位置にスイッチされたときには前記バッテリ・セットを外部ＤＣ電源で充電することを可能にし、第２の位置にスイッチされたときには前記バッテリ・セットから前記少なくとも１つの電力入力／出力端子に間歇的にバッテリ電源を出力することを可能にし、前記バッテリ・セットから前記少なくとも１つの電力入力／出力端子に接続された外部電子デバイスにバッテリ電源を放電することを可能にすることを特徴とする請求項８に記載の移動式バッテリ充電パック。
【請求項１１】
前記少なくとも１つの電力入力／出力端子並びに前記正電極及び負電極に電気的に接続された、前記バッテリ・セットと前記少なくとも１つの電力入力／出力端子の間の異なる接続方式を制御するための４ステップのスイッチである第２の制御スイッチをさらに備えることを特徴とする請求項１０に記載の移動式バッテリ充電パック。
【請求項１２】
前記第２の制御スイッチが、第１の位置にスイッチされたときには前記バッテリ・セットを外部ＤＣ電源で充電することを可能にし、第２の位置にスイッチされたきには前記ＵＳＢコネクタを通して前記バッテリ・セットのバッテリ電源を出力することを可能にし、第３の位置にスイッチされたときには前記少なくとも１つの電力入力／出力端子の１つのＤＣ５．０Ｖ電力入力／出力端子を通して前記バッテリ・セットからＤＣ５．０Ｖ電力を出力することを可能にし、第４の位置にスイッチされたときには前記電力入力／出力端子の１つのＤＣ３．７Ｖ電力入力／出力端子を通して前記バッテリ・セットからＤＣ３．７Ｖ電力を出力することを可能にすることを特徴とする請求項１１に記載の移動式バッテリ充電パック。
【請求項１３】
前記ケーシングが、前記バッテリ・セットを収容するために前記ケーシングの内部空間を複数のバッテリ座に分割する少なくとも１つの分割リブと、固定用に前記ケーシングの後側に固定的に設けられているクリップをさらに備え、前記バッテリ・セットが、前記バッテリ座内にそれぞれ装着され前記少なくとも１つの正電極及び少なくとも１つの負電極に電気的に接続されている複数のバッテリ・セルを含み、前記バッテリ・セルがＡＡ、ＡＡＡ及びＮタイプのバッテリ・セルの１つから選定されていることを特徴とする請求項１に記載の移動式バッテリ充電パック。
【請求項１４】
前記ケーシングが、前記カバーを閉位置に確保するために裏壁に配設された保持部材をさらに備えることを特徴とする請求項１に記載の移動式バッテリ充電パック。
【請求項１５】
前記カバーが、前記カバーの前側から延びており前記カバーが前記ケーシングの上に閉じられたときに前記保持部材に係合するようになされているフックを備えることを特徴とする請求項１４に記載の移動式バッテリ充電パック。
【考案の詳細な説明】
【技術分野】
【０００１】
本考案は、バッテリ・パック、より具体的にはＤＣ３．７Ｖ、ＤＣ５．０Ｖ及びＵＳＢインターフェース電力入力／出力機能を有する移動式バッテリ充電パックに関する。
【背景技術】
【０００２】
乾電池（ドライ・バッテリ）は、長期間にわたって開発されてきた。電子玩具、超小型ラジオ、懐中電灯その他の異なった電気又は電子製品では、異なったバッテリ箱を使用して異なったバッテリ・セルを保持してもよい。充電式バッテリ例えばニッケル・カドミニウム・バッテリを保持し、その充電式バッテリを充電するためにＡＣ電源をＤＣ電源に変換するようになされたバッテリ充電ボックスが知られている。これら従来型バッテリ・ボックスは、通常或る特定のＤＣ電圧を提供するために直列接続されたバッテリ・セルを有する。バッテリ・ボックスは、並列に位置づけされた２つのバッテリ・セルを保持することもある。しかし、これら２つのバッテリ・セルは電気的に直列接続されている。
【０００３】
さらに、ＰＤＡなどの移動式電子デバイスのバッテリの電力を使い切り、しかも移動式電子デバイスのバッテリを充電するために利用可能な外部電源が存在しないときには、その移動式電子デバイスは動作不能になる。本考案者に対して発行された台湾特許第１０３９７２号（米国特許第５５３７０２２号に相当）が、「密閉式バッテリ保持装置」と題されたバッテリ・パックを開示している。このバッテリ・パックの設計は、移動式電子装置のバッテリを充電するための使用に実用的である。
【０００４】
さらにＵＳＢ（ユニバーサル・シリアル・バス）は、今日ではコンピュータ・エレクトロニックス（Ｃｏｍｐｕｔｅｒ  Ｅｌｅｃｔｒｏｎｉｃｓ）で集中的に使われてきている。ＵＳＢコネクタは、ＤＣ電力の入力並びにＤＣ電力の出力を可能にする。しかし前述の台湾特許第１０３９７２号（米国特許第５５３７０２２号に相当）は、パーソナル・コンピュータの１つのＵＳＢポートからＤＣ電力を取得するためのＵＳＢコネクタを提供していない。
【考案の開示】
【考案が解決しようとする課題】
【０００５】
本考案は、このような状況の下で実現可能になった。本考案の主たる目的は、外部の移動式電子デバイスのバッテリを充電するために使用することができ、パーソナル・コンピュータの１つのＵＳＢポートに接続して、その中の充電式バッテリ・セットを充電するためにパーソナル・コンピュータからＤＣ電源を得ることができる移動式バッテリ充電パックを提供することである。
【課題を解決するための手段】
【０００６】
本考案のこの、又はその他の目的を達成するために、本考案の移動式充電パックは、ケーシングであって、その前及び後縁部に配置された前壁及び後壁と、２つの遠端部近傍の内側に対称的に形成された少なくとも１つの第１の位置決め用溝及び少なくとも１つの第２の位置決め用溝と、少なくとも１つの第１の位置決め用溝内及び少なくとも１つの第２の位置決め用溝内にそれぞれ装着された少なくとも１つの正電極及び少なくとも１つの負電極を備えるケーシングと、ケーシング内に装着されかつ少なくとも１つの正電極と少なくとも１つの負電極の間で電気的に接続されたバッテリ・セットと、ケーシングを閉じるようになされたカバーを備え、ケーシングは、前壁と正及び負電極の間にチャンバを画定し、そのチャンバが、電気的に少なくとも１つの正電極及び少なくとも１つの負電極にそれぞれ接続され、バッテリ・セットからそれに接続された外部の電子装置へバッテリ電源を出力し、外部電力供給手段をバッテリ・セットへ選択的に入力するための少なくとも１つの電力入力／出力端子を備え、その少なくとも１つの電力入力／出力端子がＵＳＢ（ユニバーサル・シリアル・バス）コネクタを含む。
又、前記ケーシングが、前記ケーシングの２つの対向する側壁にそれぞれ対称的に設けられた２つのピボット・ピンを備え、前記カバーが２つのアーチ型サイド・パネル及び前記アーチ型サイド・パネル内にそれぞれ形成され前記ピボット・ピンにそれぞれ旋回的に結合された２つのピボット・ホールを備えることが好適である。
又、前記少なくとも１つの電力入力／出力端子と、前記少なくとも１つの正電極と前記少なくとも１つの負電極とに電気的に接続され、前記バッテリ・セットと前記少なくとも１つの電力入力／出力端子との間の電力接続を制御するようになされた電力スイッチをさらに備えることが好適である。
又、前記少なくとも１つの電力入力／出力端子が、電力を入力／出力するために前記チャンバの外側に露出している電気ソケットをさらに備えることが好適である。
又、前記少なくとも１つの電力入力／出力端子が、電力を入力／出力するために前記チャンバの外側に露出している電気プラグをさらに備えることが好適である。
又、前記電気プラグが、移動式電子デバイスの電力入力端子に適合することが好適である。
又、前記少なくとも１つの電力入力／出力端子が、ＤＣ３．７Ｖ電力ジャック及びＤＣ５．０Ｖ電力ジャックをさらに備えることが好適である。
又、前記電力制御スイッチと前記少なくとも１つの電力入力／出力端子の間で電気的に接続されている回路基板をさらに備えることが好適である。
又、前記回路基板が、前記バッテリ・セットを充電するために、前記少なくとも１つの電力入力／出力端子を通して外部電力供給手段から充電供給電力を得るようになされた充電回路を備えることが好適である。
又、前記電力制御スイッチが３段階スイッチであり、第１の位置にスイッチされたときには前記バッテリ・セットを外部ＤＣ電源で充電することを可能にし、第２の位置にスイッチされたときには前記バッテリ・セットから前記少なくとも１つの電力入力／出力端子に間歇的にバッテリ電源を出力することを可能にし、前記バッテリ・セットから前記少なくとも１つの電力入力／出力端子に接続された外部電子デバイスにバッテリ電源を放電することを可能にすることが好適である。
又、前記少なくとも１つの電力入力／出力端子並びに前記正電極及び負電極に電気的に接続された、前記バッテリ・セットと前記少なくとも１つの電力入力／出力端子の間の異なる接続方式を制御するための４ステップのスイッチである第２の制御スイッチをさらに備えることが好適である。
又、前記第２の制御スイッチが、第１の位置にスイッチされたときには前記バッテリ・セットを外部ＤＣ電源で充電することを可能にし、第２の位置にスイッチされたきには前記ＵＳＢコネクタを通して前記バッテリ・セットのバッテリ電源を出力することを可能にし、第３の位置にスイッチされたときには前記少なくとも１つの電力入力／出力端子の１つのＤＣ５．０Ｖ電力入力／出力端子を通して前記バッテリ・セットからＤＣ５．０Ｖ電力を出力することを可能にし、第４の位置にスイッチされたときには前記電力入力／出力端子の１つのＤＣ３．７Ｖ電力入力／出力端子を通して前記バッテリ・セットからＤＣ３．７Ｖ電力を出力することを可能にすることが好適である。 
又、前記ケーシングが、前記バッテリ・セットを収容するために前記ケーシングの内部空間を複数のバッテリ座に分割する少なくとも１つの分割リブと、固定用に前記ケーシングの後側に固定的に設けられているクリップをさらに備え、前記バッテリ・セットが、前記バッテリ座内にそれぞれ装着され前記少なくとも１つの正電極及び少なくとも１つの負電極に電気的に接続されている複数のバッテリ・セルを含み、前記バッテリ・セルがＡＡ、ＡＡＡ及びＮタイプのバッテリ・セルの１つから選定されていることが好適である。
又、前記ケーシングが、前記カバーを閉位置に確保するために裏壁に配設された保持部材をさらに備えることが好適である。
さらに、前記カバーが、前記カバーの前側から延びており前記カバーが前記ケーシングの上に閉じられたときに前記保持部材に係合するようになされているフックを備えることが好適である。
【考案を実施するための最良の形態】
【０００７】
本考案は以下の説明及び添付の図面を参照することにより、より完全に理解することができる。図１〜３を参照すると、ケーシング１、カバー２、金属電極セット３及び複数の電力入力／出力端子４を備える本考案による移動式バッテリ充電パックが示されている。
【０００８】
ケーシング１は、部分的に覆われた中空の外殻構造で２つの側壁１１、各々２つの側壁１１の一端部の間に結合された前壁１２、各々２つの側壁１１の他端部の間に結合された後壁１３、２つの側壁１１の間にセットされ、ケーシング１の保持スペースを少なくとも３つのバッテリ・セル１０を収容するための複数のバッテリ座に分割する複数の分割リブ１４を有する。バッテリ・セル１０は、ＡＡ、ＡＡＡ又はＮタイプ或いは充電型バッテリ・セルとすることができる。さらに側壁１１は対称的で、滑らかに内側にカーブした頂縁部をそれぞれ有する。位置決め溝１１１及び１４１が、直列又は並列の回路理論の対象になる金属電極セット３の正電極３３及び負電極３２を装着するためにケーシング１内に形成されている。さらに２本のピボット・ピン１４２が、２つの側壁１１で位置決め溝１４１の２つの側部にそれぞれ設けられている。
【０００９】
ケーシング１は、さらに前壁１２と金属電極セット３の間にチャンバ１５を画定する。後壁１３の孔１５４（図示せず）から延び出ていてユーザが電源を入り／切りするのに動作させる切換えレバー１６１を有する電力制御スイッチ１６がチャンバ１５内に取り付けられている。さらに保持ロッド１３１が前壁１２内に保持されている。チャンバ１５は、電力入力／出力端子４を収容し又は通過させるために複数の孔１５１、１５２及び１５３を有する。例えば孔１５１は、ＤＣ３．７Ｖ電力入力／出力端子を収容するため、孔１５２は、ＤＣ５．０Ｖ電力入力／出力端子を収容するため、孔１５３は、ＤＣ５．０Ｖ電力入力／出力用のＵＳＢコネクタを収容するためのものである。
【００１０】
カバー２は、ケーシング１の頂部開口側を覆うようになされ、ケーシング１の２つの側壁１１各々の、内側にカーブしている頂縁部に適合する２つのアーチ型のサイド・パネル２１、２つのアーチ型のサイド・パネル２１それぞれでその１端部の近傍に形成され、カバー２がケーシング１に関して回転することを可能にしバッテリ・セル１０を取付け、取出しできるようにケーシング１を開閉するためにケーシング１の所でそれぞれピボット・ピン１４２に連結されている２つのピボット孔２２、及びケーシングの前側中央に設けられ保持ロッド１３１に係合してカバー２を閉位置に保持するフック２３を有する。
【００１１】
金属電極セット３は、いくつかのバッテリ・セル１０を接続して直列又は並列電気回路を形成するために、ケーシング１内部の位置決め溝１１１及び１４１内にそれぞれ装着されている複数の負電極３２及び正電極３３を備える。金属電極セット３は、電力制御スイッチ１６及び電力入力／出力端子４に電気的に接続されている。電力制御スイッチ１６を制御することにより、電力入力／出力端子４は、選択的に電力入力又は電力出力用に設定される。
【００１２】
電力入力／出力端子４は、チャンバ１５の孔１５１、１５２及び１５３内にそれぞれ装着され、金属電極セット３及び電力制御スイッチ１６に電気的に接続され、それによって外部の電子デバイス、例えば携帯電話に接続され、それらに必要な使用電圧をもつ外部電子デバイスを接続し提供する。電力入力／出力端子４は、それぞれパワー・ジャックの形態で製作し、外部電子デバイスのパワー・プラグに接続することもできるし、パワー・プラグで製作し外部電子デバイスのパワー・ジャックに接続することもできる。
【００１３】
図３に示すように電力入力／出力端子４は、３．７Ｖ電力入力／出力端子４１、５．０Ｖ電力入力／出力端子４２、及びＵＳＢジャック４３を備える。３．７Ｖ電力入力／出力端子４１は孔１５１内に据え付けられている。５．０Ｖ電力入力／出力端子４２は孔１５２内に据え付けられている。ＵＳＢジャック４３は孔１５３内に据え付けられている。３．７Ｖ電力入力／出力端子４１、５．０Ｖ電力入力／出力端子４２、及びＵＳＢジャック４３は、それぞれ電力制御スイッチ１６及び金属電極セット３に電気的に接続されている。電力制御スイッチ１６を制御することにより、バッテリ・セル１０からの電源は、金属電極セット３を通して３．７Ｖ電力入力／出力端子４１、５．０Ｖ電力入力／出力端子４２、又はＵＳＢジャック４３に送出され出力される。ＤＣ５．０Ｖ電力を出力するには、バッテリ・セル１０の数は４である。ＤＣ３．７Ｖ電力を出力するにはバッテリ・セル１０の数は３である。
【００１４】
図４は本考案による回路ブロック図の代替形態を示している。本代替形態によれば回路基板６が、機能選定制御用に電力入力／出力端子４と電力制御スイッチ１６の間で電気的に接続されている。回路基板６は、マルチ・レゾナンス発信回路６１及び充電回路６５を備える。さらに、本実施形態によるバッテリ・セル１０は、充電式バッテリ・セルである。本実施形態によれば電力制御スイッチ１６は、個人又は物体（例えばクリスマス・ツリー）を装飾するのに使用する外部の電灯セット（図示せず）の入り、切り、又は点滅を制御するように電力の入り／切り又は間歇的な接続を制御するためのものである。
【００１５】
電力入力／出力端子４１、４２及び４３はチャンバ１５内に据え付けられる。電力入力／出力端子４１、４２及び４３は、電気ジャックの形態又はプラグの形態で製作することもでき、孔１５１、１５２及び１５３内にそれぞれ配設される。図４に示すように電力入力／出力端子４１、４２及び４３は、それぞれ回路基板６５及び第２の制御スイッチ１６２に電気的に接続されている。第２の制御スイッチ１６２は４段階スイッチである。都市電源が利用可能なとき、例えば家の中では電力制御スイッチ１６を充電位置にスイッチし、第２の制御スイッチ１６２を第１（充電）の位置にスイッチし、次いで電源アダプタ（図示せず）を使用して電力入力／出力端子４１又は４２を１１０Ｖ又は２２０Ｖの電気コンセントに電気的に接続し、或いはＵＳＢケーブルを使用して電力入力／出力端子（ＵＳＢコネクタ）４３をパーソナル・コンピュータの１つのＵＳＢポートに電気的に接続して、電力入力／出力端子４１、４２又は４３が充電式バッテリ・セル１０を充電するためにＤＣ電力を得る事が可能であるようにする。
【００１６】
電力制御スイッチ１６を点滅位置に、第２のスイッチ１６２を充電位置にスイッチするとバッテリの電源は、バッテリ・セル１０からマルチ・レゾナンス発信回路６１を通して外部の電灯セットに送出され、電灯セットが点滅する。
【００１７】
電力制御スイッチ１６を放電位置にスイッチし、第２の制御スイッチ１６２を第２の位置にスイッチするとバッテリの電源は、バッテリ・セル１０から第２の制御スイッチ１６２を通して電力入力／出力端子（ＵＳＢコネクタ）４３に送出され、ＤＣ５．０Ｖ電力がそれに接続された外部電子デバイスに出力される。
【００１８】
電力制御スイッチ１６を放電位置にスイッチし、第２の制御スイッチ１６２を第３の位置にスイッチし、移動式バッテリ充電パック内に４本のバッテリ・セル４が据え付けられているとバッテリの電源は、バッテリ・セル４から第２の制御スイッチ１６２を通して電力入力／出力端子４２に送出され、ＤＣ５．０Ｖの電力がそれに接続された外部電子デバイスに出力される。
【００１９】
電力制御スイッチ１６を放電位置にスイッチし、第２の制御スイッチ１６２を第４の位置にスイッチし、バッテリ・セル１０の数が３であるときには、バッテリの電源は、バッテリ・セル１０から第２の制御スイッチ１６２を通して電力入力／出力端子４１に送出され、ＤＣ３．７Ｖの電力がそれに接続された外部電子デバイスに出力される。したがって移動式バッテリ充電パックは、室内でも室外と同様に実用的である。
【００２０】
ユーザが持ち運びやすくするために移動式バッテリ充電パックは、ケーシング１の後側に固定用のクリップ８が固定的に設けられている。
【００２１】
図５は、本考案の第２の実施形態による移動式バッテリ充電パックの透視図である。この実施形態によれば移動式バッテリ充電パックは、ケーシング１'、カバー２'、金属電極セット３'、及び電力入力／出力端子４'を備える。
【００２２】
ケーシング１'は、部分的に覆われた中空の外殻構造で２つの側壁１１'、２つの側壁１１'各々の一端部の間に結合された前壁１２'、２つの側壁１１'各々の他端部の間に結合された後壁１３'、２つの側壁１１'の間でその一端部の所に画定されたチャンバ１５７'、並びに２つの遠端部近傍の内部に配設され、少なくとも１つ、例えば４つのバッテリ・セル１０'を収容するために金属電極セット３'の負電極３２'及び正電極３３'それぞれの位置を定める２つの位置決め溝１１１'及び１４１'を有する。バッテリ・セル１０'は、ＡＡ、ＡＡＡ又はＮタイプ或いは充電型バッテリ・セルとすることができる。さらに側壁１１'は対称的で、それぞれ滑らかに内側にカーブした頂縁部を有する。さらに２つの側壁１１'には位置決め溝１４１'の両側の所に２つのピボット・ピン１４２'が設けられている。
【００２３】
後壁１３'の孔１５４'（図示せず）から延び出ていてユーザが電源を入り／切りするのに動作させる切換えレバー１６１'を有する電力制御スイッチ１６'がチャンバ１５'内に取り付けられている。さらに保持ロッド１３１'が前壁１２'内に保持されている。チャンバ１５'は、電力入力／出力端子４を収容し又は通過させるために複数の孔１５１'、１５２'及び１５３'を有する。例えば孔１５１'は、ＤＣ３．７Ｖ電力入力／出力端子を受容するため、孔１５２'は、ＤＣ５．０Ｖ電力入力／出力端子を収容するため、孔１５３'は、ＤＣ５．０Ｖ電力入力／出力用のＵＳＢコネクタを収容するためのものである。
【００２４】
カバー２'は、ケーシング１'をカバーするようになされ、ケーシング１'の２つの側壁１１各々の、内側にカーブしている頂縁部に適合する２つのアーチ型のサイド・パネル２１'、２つのアーチ型のサイド・パネル２１'それぞれでその１端部の近傍に形成され、カバー２'がケーシング１'に関して回転することを可能にしバッテリ・セルを取付け、取出しできるようにケーシング１'を開閉するためにケーシング１'の所でそれぞれピボット・ピン１４２'に連結されている２つのピボット孔２２'、及びケーシングの前側中央に設けられ保持ロッド１３１'に係合してカバー２'を閉位置に保持するフック２３'を有する。
【００２５】
金属電極セット３'は、バッテリ・セル１０'を接続して直列回路を形成するために、ケーシング１'内部の位置決め溝１１１'及び１４１'内にそれぞれ装着されている負電極３２'及び正電極３３'を備える。金属電極セット３'は、電力制御スイッチ１６'及び電力入力／出力端子４'に電気的に接続されている。電力制御スイッチ１６'を制御することにより、電力入力／出力端子４'は、選択的に電力入力又は電力出力用にセットされる。
【００２６】
電力入力／出力端子４'はチャンバ１５'の孔１５１'、１５２'及び１５３'内にそれぞれ装着され、金属電極セット３'及び電力制御スイッチ１６'に電気的に接続され、それによって外部の電子デバイス、例えば携帯電話に接続され、それらに必要な使用電圧をもつ外部電子デバイスを接続し提供する。電力入力／出力端子４'は、それぞれパワー・ジャックの形態で製作し、外部電子デバイスのパワー・プラグに接続することもできるし、パワー・プラグで製作し外部電子デバイスのパワー・ジャックに接続することもできる。
【００２７】
本考案のこの第２の実施形態によれば移動式バッテリ充電パックは、やはり電力制御スイッチ１６'、切替えレバー１６１'、第２の制御スイッチ１６２'、２つのアーチ型サイド・パネル２１'、２つのピボット・ホール２２'、フック２３'、回路基板６'、マルチ・レゾナンス発信回路６１'、及び充電回路６５'を備える。したがってこの実施形態は、上記と同じ機能を達成する。これらの部材は、上記第１の実施形態における電力制御スイッチ１６、切替えレバー１６１、第２の制御スイッチ１６２、アーチ型サイド・パネル２１、２つのピボット・ホール２２、フック２３、回路基板６、マルチ・レゾナンス発信回路６１及び充電回路６５と同等である。したがって、これに関するさらなる詳細説明は必要がない。
【００２８】
さらに、ユーザが持ち運びやすくするために移動式バッテリ充電パックは、ケーシング１'の後側に固定用のクリップ８'が固定的に設けられている。
【００２９】
本考案の特定の実施形態を説明してきたが、様々な変形、改良を本考案の精神及び範囲から逸脱することなく行うことができる。
【図面の簡単な説明】
【００３０】
【図１】本考案による移動式バッテリ充電パックの分解図である。
【図２】本考案による移動式バッテリ充電パックの立面組立図である。
【図３】本考案によるバッテリ充電パックの回路ブロック図である。
【図４】本考案による回路ブロック図の一代替形態を示す図である。
【図５】本考案の第２の実施形態による移動式バッテリ充電パックの透視図である。
【符号の説明】
【００３１】
１      ケーシング
１'    ケーシング
２      カバー
２'    カバー
３      金属電極セット
３'    金属電極セット
４      電力入力／出力端子
４'    電力入力／出力端子
８      クリップ
８'    クリップ
１０    バッテリ・セル
１０'  バッテリ・セル
１１    側壁
１１'  側壁
１２    前壁
１２'  前壁
１３    後壁
１３'  後壁
１４    分割リブ
１５    チャンバ
１５'  チャンバ
１６    電力制御スイッチ
１６'  電力制御スイッチ
２１    アーチ型サイド・パネル
２１'  アーチ型サイド・パネル
２２    ピボット・ホール
２２'  ピボット・ホール
２３    フック
２３'  フック
３２    負電極
３２'  負電極
３３    正電極
３３'  正電極
４１    ３．７Ｖ電力入力／出力端子
４１'  ３．７Ｖ電力入力／出力端子
４２    ５．０Ｖ電力入力／出力端子
４２'  ５．０Ｖ電力入力／出力端子
４３    ＵＳＢジャック
４３'  ＵＳＢジャック
６１    マルチ・レゾナンス発信回路
６１'  マルチ・レゾナンス発信回路
６５    充電回路
６５'  充電回路
１１１  位置決め溝
１１１'  位置決め溝
１３１    保持ロッド
１３１'  保持ロッド
１４１    位置決め溝
１４１'  位置決め溝
１４２    ピボット・ピン
１４２'  ピボット・ピン
１５１    孔
１５１'  孔
１５２    孔
１５２'  孔
１５３    孔
１５３'  孔
１５４    孔（図示せず）
１５４'  孔（図示せず）
１６１    切替えレバー
１６１'  切替えレバー
１６２    第２の制御スイッチ
１６２'  第２の制御スイッチ
【図１】
0003118896.tif 000003
【図２】
0003118896.tif 000004
【図３】
0003118896.tif 000005
【図４】
0003118896.tif 000006
【図５】
0003118896.tif 000007